(57)【要約】【課題】ソーラパネルの照度検出のために消費される電力を低減できる、電子時計を提供する。【解決手段】光を受けて発電を行なうソーラパネル２を有し、ソーラパネル２の出力電圧により充電される二次電池３から供給される電力により動作するとともに、ソーラパネル２の照度検出に基づいて、表示部１３１に時計表示を行う通常モードと、表示部１３１の時計表示を停止する省電力モードとを有する電子時計１であって、通常モードにおける照度検出の周期を第１周期（例えば、１分）とし、省電力モードにおける照度検出の周期を第２周期（例えば、２秒）として、照度検出の周期を切り替えるモード制御部１０３を備える。【選択図】図２
2013156159.tif 000002
【特許請求の範囲】
【請求項１】
光を受けて発電を行なうソーラパネルを有し、当該ソーラパネルの出力電圧により充電される二次電池から供給される電力により動作するとともに、ソーラパネルの照度検出に基づいて、表示部に時計表示を行う通常モードと、前記表示部の時計表示を停止する省電力モードとを有する電子時計であって、
前記通常モードにおける前記照度検出の周期を第１周期とし、前記省電力モードにおける前記照度検出の周期を前記第１周期とは異なる第２周期として、前記照度検出の周期を切り替える制御部を備える
ことを特徴とする電子時計。
【請求項２】
前記通常モードにおける照度検出の第１周期が、前記省電力モードにおける照度検出の第２周期よりも長い
ことを特徴とする請求項１に記載の電子時計。
【請求項３】
前記制御部は、
前記通常モードから前記省電力モードに移行する際に、
前記省電力モード移行する直前の所定の第１時間の間は、前記第２周期で照度検出を行う
ことを特徴とする請求項１または請求項２に記載の電子時計。
【請求項４】
前記制御部は、
前記ソーラパネルに所定の閾値以上の照度が得られない状態を検出した後に、
所定の第２時間の間は、前記第２周期により前記ソーラパネルの照度検出を行い、
前記第２時間の経過後からは、前記第１周期により前記ソーラパネルの照度検出を行う
ことを特徴とする請求項１から請求項３いずれか一項に記載の電子時計。
【請求項５】
前記ソーラパネルの照度検出を周期的に行う照度検出回路と、
前記照度検出回路における照度の検出結果を基に前記ソーラパネルに照度が得られていない無照度継続時間を計測する無照度時間検出部と、を備え、
前記制御部は、
前記照度検出回路における照度検出の周期を制御するとともに、前記無照度継続時間を所定の移行時間と比較し、前記無照度継続時間が前記移行時間を経過したときに前記通常モードから省電力モードに移行させる
ことを特徴とする請求項１から請求項４いずれか一項に記載の電子時計。
【発明の詳細な説明】
【技術分野】
【０００１】
本発明は、ソーラパネルを備える電子時計に関する。
【背景技術】
【０００２】
関連する太陽電池付デジタル電子腕時計がある（例えば、特許文献１を参照）。この特許文献１に記載の太陽電池付デジタル電子腕時計は、太陽電池の出力が所定値以下となった時に、ドライバー回路からの表示出力を遮断する。
【０００３】
また、関連する電子時計がある（例えば、特許文献２を参照）。この特許文献２に記載の太陽電池付デジタル電子腕時計は、一定時間以上、継続して入射光が得られない時、時刻表示動作を停止する。
【先行技術文献】
【特許文献】
【０００４】
【特許文献１】実開昭５６−９７７９５号公報
【特許文献２】特開昭６１−７７７８８号公報
【発明の概要】
【発明が解決しようとする課題】
【０００５】
ところで、ソーラパネルを備える電子時計では、省電力モードから通常モードに復帰する際の応答性を改善するために、ソーラパネルの照度検出動作を２秒毎に行うのが一般的であった。ところが、通常モード及び省電力モードの両方の状態において、照度検出を２秒毎に行うと、ソーラパネルの発電エネルギーが照度検出の度に消費され、ソーラパネルの発電効率の向上に限界があった。
【０００６】
また、ソーラパネルで発電が行われない状態が一定時間（例えば、３０分〜数時間）継続したことを検出して省電力モードに移行させる場合に、この一定時間の間に、２秒毎に照度検出動作を行うと、照度検出動作に必要な電力が二次電池から供給されることになり、その分、二次電池の電力消費が増大することになる。このため、省電力モードに移行した際の二次電池の持続時間の向上にも限界があった。
【０００７】
本発明は、斯かる実情に鑑みてなされたものであり、本発明の目的は、ソーラパネルの照度検出のために消費される電力を低減できる、電子時計を提供することにある。
【課題を解決するための手段】
【０００８】
本発明は、上記課題を解決するためになされたものであり、本発明の電子時計は、光を受けて発電を行なうソーラパネルを有し、当該ソーラパネルの出力電圧により充電される二次電池から供給される電力により動作するとともに、ソーラパネルの照度検出に基づいて、表示部に時計表示を行う通常モードと、前記表示部の時計表示を停止する省電力モードとを有する電子時計であって、前記通常モードにおける前記照度検出の周期を第１周期とし、前記省電力モードにおける前記照度検出の周期を前記第１周期とは異なる第２周期として、前記照度検出の周期を切り替える制御部を備えることを特徴とする。
【０００９】
また、本発明の電子時計は、上記電子時計において、前記通常モードにおける照度検出の第１周期が、前記省電力モードにおける照度検出の第２周期よりも長いことを特徴とする。
【００１０】
また、本発明の電子時計は、上記電子時計において、前記制御部は、前記通常モードから前記省電力モードに移行する際に、前記省電力モード移行する直前の所定の第１時間の間は、前記第２周期で照度検出を行うことを特徴とする。
【００１１】
また、本発明の電子時計は、上記電子時計において、前記制御部は、前記ソーラパネルに所定の閾値以上の照度が得られない状態を検出した後に、所定の第２時間の間は、前記第２周期により前記ソーラパネルの照度検出を行い、前記第２時間の経過後からは、前記第１周期により前記ソーラパネルの照度検出を行うことを特徴とする。
【００１２】
また、本発明の電子時計は、上記電子時計において、前記ソーラパネルの照度検出を周期的に行う照度検出回路と、前記照度検出回路における照度の検出結果を基に前記ソーラパネルに照度が得られていない無照度継続時間を計測する無照度時間検出部と、を備え、前記制御部は、前記照度検出回路における照度検出の周期を制御するとともに、前記無照度継続時間を所定の移行時間と比較し、前記無照度継続時間が前記移行時間を経過したときに前記通常モードから省電力モードに移行させることを特徴とする。
【発明の効果】
【００１３】
本発明によれば、通常モードと省電力モードのそれぞれの動作モードに応じてソーラパネルの照度検出の周期を切り替えるようにした。これにより、ソーラパネルの照度検出のために消費される電力を低減できる、電子時計を提供することができる。
【図面の簡単な説明】
【００１４】
【図１】電子時計の概観構成を示す図である。
【図２】電子時計の内部構成を示すブロック図である。
【図３】第１実施形態の電子時計における通常モードと省電力モードとの間の移行動作について説明するためのフロー図である。
【図４】第２実施形態の電子時計における通常モードから省電力モードへの移行動作について説明するためのフロー図である。
【図５】第３実施形態の電子時計における通常モードから省電力モードへの移行動作について説明するためのフロー図である。
【発明を実施するための形態】
【００１５】
以下、本発明の実施形態について、図面を参照しつつ説明する。
【００１６】
［第１実施形態］
（概観構成の説明）
図１は、本発明の実施の形態に係る電子時計の概観を示す図である。
この図１に示すように、本実施形態の電子時計１は、本体ケース２１を備え、この本体ケース２１の正面側には４隅が面取りされた方形状の風防ガラス等の透明板２２の下に、ＬＣＤ（液晶ディスプレイ）１３３及びソーラパネル２を有している。ＬＣＤ１３３は透明板２２の中央に設けられる。ソーラパネル２は、平面視においてＬＣＤ１３３を囲むように、透明板２２の周辺部に配置される。
【００１７】
また、本体ケース２１の側面に、使用者が操作可能な操作ボタンＡと、操作ボタンＢと、操作ボタンＣと、操作ボタンＤが設けられている。また、本体ケース２１の正面に、操作ボタンＥが設けられている。
操作ボタンＡは、電子時計１の動作モードを変更するための信号であるモードチェンジ信号を出力する。この操作ボタンＡを押すごとに、モードチェンジ信号が、後述するＣＰＵ１０１内のモード制御部１０３（図２を参照）に出力される。このモード制御部１０３は、図１（Ｂ）に示すように、上記モードチェンジ信号に応答して、電子時計１を、順次、時刻表示モード、クロノグラフモード、タイマモード、アラームモードに移行させる。また、モード制御部１０３は、後述する所定の条件下で、電子時計１を省電力モードに移行させる。
【００１８】
ここで、時刻表示モードは、通常の時刻表示を行うモードであり、例えば、図１（Ａ）に示すように、ＬＣＤ１３３に、日付と、現在時刻と、曜日とを表示する。
クロノグラフモードは、スポーツ競技等における記録の時間計測と表示に使用されるモードであり、例えば、ラップタイムやスプリットタイムを計測して表示するモードである。
タイマモードは、予めタイマにタイマ時間を設定し、このタイマに設定された時間をカウントダウンすることにより時間を計測し、カウントゼロでアラーム音を鳴らすモードである。また、アラームモードは、予め時刻を設定し、計時時刻が設定した時刻になるとアラーム音を鳴らすモードである。
【００１９】
省電力モードは、ソーラパネル２に光があたらない状態が一定時間以上続いた場合に、二次電池の無駄な電量消費を防ぐために、ＬＣＤ１３３の表示を消すモードである。この省電力モードにおいては、電子時計１は、図１（Ｃ）に示すように、ＬＣＤ１３３に「ＰＳ」の表示のみを表示する。なお、上記動作モードは、上述した動作モードの他に、例えば、ワールドタイム表示モード（世界の主要都市の時刻を表示するモード）や、リコールモード（計測したデータを呼び出す機能）等が含まれる場合がある。
【００２０】
操作ボタンＢは、表示の切替ボタンであり、例えば、クロノグラフモード（時間計測モード）において、ラップタイム（ＬＡＰ）とスプリットタイム（ＳＰＬ）の表示の切り替えを行うボタンである。
操作ボタンＣは、スタート／ストップボタンであり、例えば、クロノグラフモードにおいて、時間計測動作の開始と終了を指示するボタンである。
操作ボタンＤは、ライト（内部照明）の点滅ボタンであり、この操作ボタンＤを押下した場合、例えば、ライトとして使用されているエレクトロルミネッセンス（ＥＬ）パネルを発光させる。
操作ボタンＥは、例えば、クロノグラフモードにおいて、ラップタイム（ＬＡＰ）を保存するとともに、計測値をリセットするボタンである。
【００２１】
（電子時計１の内部構成）
図２は、本発明の実施の形態に係る電子時計の内部構成を示すブロック図であり、ソーラパネル２を備える電子時計の例を示している。なお、図２に示す電子時計１の構成は、本第１実施形態の電子時計と、後述する第２及び第３実施形態の電子時計とにおいて共通に使用される構成である。但し、図２において、ＣＰＵ１０１内の無照度時間検出部１０５の１分カウンタ（１ＭＣ）１０６Ａは、第２および第３実施形態においてのみ使用されるものである。
【００２２】
図２に示すように、電子時計１は、集積回路１０（Integrated Circuit；ＩＣ）と、複数の太陽電池セルから構成されるソーラパネル２と、ダイオードＤ１と、二次電池３と、を備えている。また、電子時計１は、抵抗Ｒ１及び抵抗Ｒ２と、ＬＣＤ１３３と、操作部４とを備えている。
【００２３】
電子時計１は、ソーラパネル２から二次電池３を介して供給される電源電圧ＶｄｄによりＬＣＤ１３３に時刻表示を行う動作を行うとともに、ソーラパネル２の起電圧Ｖｓｃが十分な電圧であるか否かを検出する照度検出動作を定期的に行う。そして、電子時計１は、ソーラパネル２の照度検出周期を、通常モード（例えば、時刻表示モード）と、省電力モードにおいて、切り替えるように構成されている。
【００２４】
以下、電子時計１を構成する各部分について詳細に説明する。
【００２５】
ソーラパネル２は、複数の太陽電池セルから構成されており、このソーラパネル２の起電圧Ｖｓｃ（出力電圧）により二次電池３を充電する。電子時計１は、ソーラパネル２から二次電池３を介して供給される電源電圧Ｖｄｄにより各部が動作するとともに、ＬＣＤ１３３に時刻表示等の各種の表示を行う。
【００２６】
また、操作部４は、使用者が操作可能な複数の操作ボタン（図１（Ａ）を参照）から構成されている。この操作部４において、使用者によりボタン操作が行われることにより、ボタン操作に応じた信号がＣＰＵ１０１内の入力受付部１０２に入力される。使用者は、この操作部４の操作ボタンを操作することにより、電子時計１における動作モードの切り替え、表示内容の切り替え、時刻合わせ、及びその他の各種の設定を行うことができる。
【００２７】
集積回路１０は、ＣＰＵ（Central Processing Unit）１０１、電源回路１１１、過充電保護回路１１２、発振回路１１３、分周回路１１４、電池電圧検出回路１１５、ＢＯＲ回路１１６、記憶部１１７、照度検出回路１２１、及び表示部１３１を含んで構成される。
電源回路１１１は、電源端子１５を介して二次電池３に接続され、二次電池３の出力電圧Ｖｄｄに基づいて、集積回路１０内部の各回路の内部動作電圧を生成し、生成した内部動作電圧を各回路へ供給する。
【００２８】
過充電保護回路１１２は、端子１１を介してソーラパネル２のアノード側電極に接続され、二次電池電圧Ｖｄｄが予め設定された電圧レベル（例えば、２．６Ｖ）以上になると、例えば、接地レベルへと接続される内部スイッチ（図２において不図示）を導通（オン）させる。過充電保護回路１１２は、二次電池３に印加される充電電圧が予め設定された電圧を超えない様に、ソーラパネル２の起電圧Ｖｓｃの電圧を放電することにより、二次電池３が過充電されて劣化することを防止する。
【００２９】
発振回路１１３は、基準信号を生成して、分周回路１１４に対して出力する。分周回路１１４は、入力される基準信号を分周し、複数の周波数信号を生成して、計時信号として、ＣＰＵ１０１内の計時部１０４及びモード制御部１０３に対して出力する。
【００３０】
電池電圧検出回路１１５は、二次電池３の出力電圧Ｖｄｄを検出するための回路であり、二次電池３の出力電圧Ｖｄｄの電圧値をデジタル信号に変換し、電池電圧信号としてＣＰＵ１０１内のモード制御部１０３に出力する。この電池電圧信号は、例えば、電池残量表示のために使用される。
ＢＯＲ回路１１６は、ブラウンアウトリセット回路であり、二次電池電圧Ｖｄｄがあらかじめ定められた電圧以下になると、リセット信号ＲＳＴを生成してＣＰＵ１０１に出力する回路である。
【００３１】
記憶部１１７は、ＲＯＭ（Read Only Memory）およびＲＡＭ（Random Access Memory）等で構成されている。ＲＯＭには、電子時計１で行われる処理に関する過程がプログラムの形式で記憶されており、ＣＰＵ１０１がこのプログラムを読み出して実行することによって、電子時計１において必要とされる各処理が行われる。また、ＲＡＭは、ＣＰＵ１０１が処理を実行する際の作業用のメモリとして使用される。また、記憶部１１７には、電子時計で計測された各種の計測データが記憶されて保存される。例えば、記憶部１１７は、クロノグラフモードの時間計測動作により計測されたラップタイムやスプリットタイムなどのデータを記憶する。また、この記憶部１１７は、その内部に、予め定められた省電力モードへの移行時間（本実施形態では３０分）の情報を記憶している。なお、この移行時間は、使用者が操作部４の操作ボタンを操作することにより手動で設定することも可能である。例えば、移行時間は、３０分〜４時間の範囲で設定でき、また、４時間以上の任意の時間に設定することもできる。
【００３２】
また、集積回路１０は、照度検出回路１２１を有している。この照度検出回路１２１は、スイッチＳＷ１を有している。このＳＷ１は、例えばｎ型ＭＯＳＦＥＴ（Metal-Oxide-Semiconductor Field-Effect Transistor）から構成されるスイッチである。スイッチＳＷ１において、ドレインは端子１１（ソーラパネル２のアノード側電極に接続される端子）に、ソースは端子１２に、ゲートはＣＰＵ１０１内のモード制御部１０３にそれぞれ接続される。モード制御部１０３は、電子時計１の通常動作においてはロウレベル（Ｌレベル）の選択信号ＳＥＬをスイッチＳＷ１のゲートに出力し、スイッチＳＷ１を非導通（オフ）とする。一方、モード制御部１０３は、ソーラパネル２の照度検出時においては、選択信号ＳＥＬをハイレベル（Ｈレベル）にして、スイッチＳＷ１をオンさせる。
【００３３】
また、照度検出回路１２１は、スイッチＳＷ１の他に、コンパレータ１２２と、基準電圧発生回路１２３（基準電圧源）と、抵抗Ｒ１及び抵抗Ｒ２から構成される分圧回路と、を有している。抵抗Ｒ１は端子１２と端子１３との間に、抵抗Ｒ２は端子１３と接地端子１４との間にそれぞれ接続される。なお、本実施形態においては、抵抗Ｒ１、抵抗Ｒ２は集積回路１０の外部に設けられているが、これらを集積回路１０の内部に設けてもよい。
【００３４】
コンパレータ１２２は、その正転入力端子が端子１３に接続され、反転入力端子が基準電圧発生回路１２３の正（＋）側出力に接続される。
基準電圧発生回路１２３は、電源回路１１１から供給される電圧に応じて、コンパレータ１２２が行う判定の際の基準電圧を生成する。コンパレータ１２２は、照度検出時においてモード制御部１０３により活性化され、端子１３の電圧が基準電圧発生回路１２３の出力電圧（基準電圧Ｖｒｅｆとする）より高い場合、Ｈレベルの照度有無信号を出力する。また、コンパレータ１２２は、端子１３の電圧が基準電圧Ｖｒｅｆより低い場合、Ｌレベルの照度有無信号を出力する。この照度有無信号は、ＣＰＵ１０１内のモード制御部１０３に対して出力される。
本実施形態において、例えば、抵抗Ｒ１と抵抗Ｒ２の抵抗比を２：１、また、基準電圧Ｖｒｅｆを１．２Ｖとする。
【００３５】
表示部１３１は、表示駆動回路１３２とＬＣＤ１３３とで構成される。
表示駆動回路１３２は、ＣＰＵ１０１内のモード制御部１０３から、各動作モード（例えば、時刻表示モードやクロノグラフモード）に応じた表示データ信号を入力し、ＬＣＤ１３３に出力する。例えば、表示駆動回路１３２は、時刻表示モードのときに、時刻計時データに対応する表示データ信号をモード制御部１０３から入力し、ＬＣＤ１３３に表示する。また例えば、クロノグラフモードのときに、表示駆動回路１３２は、クロノグラフ計測データに対応する表示データ信号をモード制御部１０３から入力し、ＬＣＤ１３３に表示する。
【００３６】
また、表示駆動回路１３２は、電子時計１が省電力モードに移行し、モード制御部１０３からパワーセーブ処理信号が出力されるときに、ＬＣＤ１３３の表示を消すようにする。なお、省電力モードにおいてＬＣＤ１３３の表示を消す場合に、表示駆動回路１３２は、パワーセーブ状態であることを示す表示（例えば、図１に示す文字表示「ＰＳ」）をＬＣＤ１３３に表示する。
液晶パネルにより構成されるＬＣＤ１３３は、表示駆動回路１３２から出力される表示データに応じた表示、例えば、各モードの表示、時刻表示、計測時間の表示を行うと共に、パワーセーブ時には時刻表示を消して、パワーセーブ状態であることを示す表示を行う。
【００３７】
また、ＣＰＵ１０１内の入力受付部１０２は、操作部４から入力されるボタン操作の信号を外部割り込み要求信号として受け付け、操作部４においてボタン操作が行われたこととその内容をレジスタ（不図示）に保持するとともに、ボタン操作の内容に応じた操作信号をＣＰＵ１０１内の各部に出力する。例えば、入力受付部１０２は、電子時計１の動作モードを変更するため、操作部４からのモードチェンジ信号を操作信号としてモード制御部１０３に出力する。また、入力受付部１０２は、計時部１０４において時刻合わせや、その他の各種の設定を行うための操作信号を、計時部１０４に対して出力する。また、入力受付部１０２は、操作部４においてボタン操作が行われた否かを示すボタン操作有無信号を、モード制御部１０３に出力する。
【００３８】
モード制御部１０３は、操作部４から出力される操作信号（例えば、操作部４からのモードチェンジ信号に対応する操作信号）に応答して、電子時計１の動作モードを設定する。また、モード制御部１０３は、電子時計１の動作モードに応じて、計時部１０４、無照度時間検出部１０５、照度検出回路１２１、及び表示部１３１の動作を制御する。
例えば、モード制御部１０３は、無照度時間検出部１０５に対して計数信号ＣＮＴを出力し、無照度時間検出部１０５内のパワーセーブカウンタ（ＰＳＣ）１０６と１分カウンタ（１ＭＣ）１０６Ａを用いて時間計数を行うとともに、この計数値をリセットする。このパワーセーブカウンタ（ＰＳＣ）１０６と１分カウンタ（１ＭＣ）１０６Ａにおける計数値は、無照度継続時間ＮＩＬ（ソーラパネル２に照度が得られない状態が継続する時間）を表す信号としてモード制御部１０３に対して出力される。
【００３９】
また、モード制御部１０３は、計時部１０４から時刻の計時データや時間計測データを入力し、設定された動作モードに応じた表示データ信号を生成して表示駆動回路１３２に対して出力する。
また、モード制御部１０３は、無照度時間検出部１０５から、無照度継続時間ＮＩＬを表す信号を入力して、所定の移行時間（例えば、３０分）と比較する。そして、モード制御部１０３は、無照度継続時間ＮＩＬが所定の移行時間を経過したと判定したときに、電子時計１を省電力モードに移行させるとともに、表示駆動回路１３２に対して、ＬＣＤ１３３における表示を消すためのパワーセーブ処理信号を出力する。
【００４０】
また、モード制御部１０３は、照度検出周期切替部１０３Ａを有している。この照度検出周期切替部１０３Ａは、照度検出回路１２１を活性化また非活性化する選択信号ＳＥＬを生成するための処理部である。この照度検出周期切替部１０３Ａは、通常モードにおける照度検出の周期を１分（第１周期）とし、省電力モードにおける照度検出の周期を２秒（第２周期）として、照度検出の周期を切り替える機能を有している。モード制御部１０３は、この照度検出周期切替部１０３Ａにより生成された選択信号ＳＥＬを、照度検出回路１２１に出力する。
【００４１】
計時部１０４は、分周回路１１４から入力した計時信号を計数して時刻計時を行い、時刻を表す信号である時刻計時データを生成する。また、計時部１０４は、クロノグラフモードにおいて、分周回路１１４から入力した計時信号を計数して時間計測動作を行い、時間計測データを生成する。計時部１０４で生成された時刻計時データおよび時間計測データはモード制御部１０３に出力される。この時刻計時データおよび時間計測データは、モード制御部１０３を介して、表示駆動回路１３２に表示データ信号として出力される。例えば、時刻表示モードの場合に、モード制御部１０３は、時刻計時データを表示データ信号として表示駆動回路１３２に出力する。
【００４２】
無照度時間検出部１０５は、モード制御部１０３から入力した計数信号ＣＮＴに応じて、無照度継続時間ＮＩＬを、分単位のパワーセーブカウンタ（ＰＳＣ）１０６と秒単位の１分カウンタ（１ＭＣ）１０６Ａにより計数する。
例えば、無照度時間検出部１０５は、計数信号ＣＮＴがパワーセーブカウンタ１０６をインクリメント（＋１を加算）することを指示する信号である場合は、パワーセーブカウンタ１０６をインクリメントする。また、例えば、計数信号ＣＮＴが１分カウンタ１０６Ａに＋２を加算することを指示する信号である場合は、１分カウンタ１０６Ａに＋２を加算する。また、例えば、計数信号ＣＮＴがカウンタリセットを指示する信号である場合は、パワーセーブカウンタ１０６及び１分カウンタ１０６Ａのそれぞれの計数値をリセットする。
無照度時間検出部１０５は、このカウンタ１０６及び１０６Ａの計数値を、無照度継続時間ＮＩＬを表す信号としてモード制御部１０３に対して出力する。
【００４３】
なお、１分カウンタ（１ＭＣ）１０６Ａは、第１実施形態においては使用されず、後述する第２および第３実施形態において使用されるものである。第１実施形態では、無照度継続時間ＮＩＬがパワーセーブカウンタ１０６を用いて計数され、第２および第３実施形態では、無照度継続時間ＮＩＬが、パワーセーブカウンタ（ＰＳＣ）１０６と１分カウンタ（１ＭＣ）１０６Ａの両方を用いて計数される。
【００４４】
以上のように構成された電子時計１では、使用者が操作部４を操作、例えば、操作ボタンＡ（図１を参照）を操作することにより、電子時計１における動作モードおよびＬＣＤ１３３における表示状態を変更するための操作信号（この場合は、操作部４からのモードチェンジ信号に対応する操作信号）が、モード制御部１０３に出力される。モード制御部１０３は、モードチェンジ信号に対応する操作信号に応答して、電子時計１の動作モードを変更する。
【００４５】
計時部１０４は、時刻表示モードにおいて、分周回路１１４から出力される計時信号を計数して時刻を表す時刻計時データを生成し、この時刻計時データをモード制御部１０３に出力する。また、計時部１０４は、クロノグラフモードにおいて、分周回路１１４から出力される計時信号を計数して時間計測データを生成し、この時間計測データの信号をモード制御部１０３に出力する。
【００４６】
モード制御部１０３は、電子時計１が時刻表示モードに設定されている場合に、時刻計時データを含む表示データ信号を表示駆動回路１３２に出力する。表示駆動回路１３２は、時刻計時データを表示に適した形態に変換しＬＣＤ１３３に出力し、ＬＣＤ１３３は、時刻計時データに対応する時刻をデジタルで表示する。
また、モード制御部１０３は、電子時計１がクロノグラフモードに設定されている場合に、時間計測データを含む表示データ信号を表示駆動回路１３２に出力する。表示駆動回路１３２は、時間計測データを表示に適した形態に変換してＬＣＤ１３３に出力し、ＬＣＤ１３３は、時間計測データに対応する時間をデジタルで表示する。
【００４７】
無照度時間検出部１０５は、モード制御部１０３から出力される計数信号ＣＮＴを入力して、ソーラパネルに照度が得られない状態が継続する無照度継続時間ＮＩＬを、パワーセーブカウンタ（ＰＳＣ）１０６と１分（ＰＳＣ）カウンタ１０６Ａにより計数する。無照度時間検出部１０５は、無照度継続時間ＮＩＬを表す信号をモード制御部１０３に対して出力する。
【００４８】
モード制御部１０３は、無照度時間検出部１０５から、カウンタ１０６及び１０６Ａの計数値を、無照度継続時間ＮＩＬを表す信号として入力し、無照度継続時間ＮＩＬを所定の移行時間（例えば、３０分）と比較する。そして、モード制御部１０３は、無照度継続時間ＮＩＬが所定の移行時間（例えば、３０分）を経過したときに、電子時計１を省電力モードに移行させるとともに、表示駆動回路１３２に対して、ＬＣＤ１３３における表示を消すためのパワーセーブ処理信号を出力する。
【００４９】
（通常モードと省電力モードとの間の移行動作についての説明）
次に、本実施形態の電子時計１における通常モードと省電力モードとの間の移行動作について説明する。
上述のように、電子時計１は、ソーラパネル２に照度が得られなくなった状態が一定時間続いた場合に、二次電池３の無駄な電量消費を避けるために省電力モードに移行する。この場合に、電子時計１は、ソーラパネル２に照度が得られなくなった後、省電力モードに移行するまでの間は通常モードで動作し、この通常モードの間は、ソーラパネル２の照度検出を１分ごとに行う。そして、省電力モードに移行した後に、電子時計１は、ソーラパネル２の照度検出を２秒ごとに行う。
【００５０】
図３は、電子時計１における通常モードと省電力モードとの間の移行動作について説明するためのフロー図である。図３（Ａ）は、通常モードから省電力モードに移行する場合の処理の流れを示し、図３（Ｂ）は、省電力モードから通常モードに移行する場合の処理の流れを示している。
【００５１】
最初に、図３（Ａ）を参照して、通常モードから省電力モードに移行する場合の処理の流れについて説明する。なお、この図３（Ａ）に示す処理は、ＣＰＵ１０１（主にはモード制御部１０３）において、１分ごとに繰り返して行われる処理であり、また、通常モードにおいて、ソーラパネル２の遮光時間を計測するためのパワーセーブカウンタ（ＰＳＣ）１０６は、ゼロに初期化（リセット）されているものとする。なお、この処理において、無照度時間検出部１０５内の１分カウンタ（１ＭＣ）１０６Ａは使用されない。
【００５２】
図３（Ａ）を参照して、通常モードにおいて、モード制御部１０３は、計時部１０４における時刻計時処理と、表示部１３１における時計表示処理とを行わせている（ステップＳ１０１）。続いて、モード制御部１０３は、計時部１０４で計時された時刻計時データを基に、現在時刻が正分（分単位で、００秒００の時）であるか否かを判定する（ステップＳ１０２）。モード制御部１０３は、ステップＳ１０２の処理において現在時刻が正分でないと判定された場合に（ステップＳ１０２−Ｎｏ）、ステップＳ１０１の処理に戻り、計時部１０４における時刻計時処理と、表示部１３１における時計表示処理とを継続させる。
【００５３】
モード制御部１０３は、ステップＳ１０２の処理において時刻が正分であると判定された場合に（ステップＳ１０２−Ｙｅｓ）、照度検出をオンにする（ステップＳ１０３）。すなわち、モード制御部１０３は、照度検出回路１２１内のＳＷ１をオンにして活性化し、この照度検出回路１２１から照度有無信号を出力させる。この照度有無信号は、モード制御部１０３に対して出力される。
【００５４】
続いて、ステップＳ１０４の処理に移行し、モード制御部１０３は、照度検出回路１２１から入力した照度有無信号を基に、ソーラパネル２が「照度無し」か否かを判定する（ステップＳ１０４）。
モード制御部１０３は、ステップＳ１０４の処理において「照度あり」と判定された場合に（ステップＳ１０４−Ｎｏ）、無照度時間検出部１０５に対してカウンタリセットを指示する計数信号ＣＮＴを出力し、無照度時間検出部１０５内のパワーセーブカウンタ１０６の計数値を初期化（リセット）する（ステップＳ１０５）。なお、この際に、モード制御部１０３は、照度検出をオフ、すなわち、照度検出回路１２１を非活性化（スイッチＳＷ１をオフ）し、照度有無信号の出力を停止させる。
モード制御部１０３は、ステップＳ１０５の処理の後にステップＳ１０１に戻り、計時部１０４における時刻計時処理と、表示部１３１における時計表示処理とを継続させる。
【００５５】
一方、モード制御部１０３は、ステップＳ１０４の処理において「照度無し」と判定された場合に（ステップＳ１０４−Ｙｅｓ）、無照度時間検出部１０５に対して計数を指示する計数信号ＣＮＴを出力し、無照度時間検出部１０５内のパワーセーブカウンタ１０６の計数値をインクリメント（＋１を加算）する（ステップＳ１０６）。無照度時間検出部１０５は、このパワーセーブカウンタ１０６の計数値を、無照度継続時間ＮＩＬを表す信号として、モード制御部１０３に対して出力する。なお、この際、モード制御部１０３は、照度検出をオフ、すなわち、照度検出回路１２１を非活性化（スイッチＳＷ１をオフ）し、照度有無信号の出力を停止させる。
【００５６】
続いて、モード制御部１０３は、無照度時間検出部１０５から無照度継続時間ＮＩＬを表す信号を入力すると、この無照度継続時間ＮＩＬを所定の移行時間（この例では、３０分）と比較し、無照度継続時間ＮＩＬが３０分経過したか否かを判定する（ステップＳ１０７）。そして、モード制御部１０３は、ステップＳ１０７の処理において無照度継続時間ＮＩＬが３０分を経過したと判定された場合に（ステップＳ１０７−Ｙｅｓ）、電子時計１を省電力モードに移行させる（ステップＳ１０８）。
【００５７】
一方、モード制御部１０３は、ステップＳ１０７の処理において無照度継続時間ＮＩＬが、３０分を経過していない判定された場合に（ステップＳ１０７−Ｎｏ）、ステップＳ１０１に戻り、計時部１０４における時刻計時処理と、表示部１３１における時計表示処理とを継続させる。
【００５８】
以上説明したように、モード制御部１０３は、ソーラパネル２に照度が得られなくなった後、省電力モードに移行する前の通常モードにおいて、毎分ごとに照度検出回路１２１を活性化してソーラパネル２の照度検出を行う。そして、モード制御部１０３は、ソーラパネル２に継続して照度が得られない場合に、無照度時間検出部１０５のパワーセーブカウンタ１０６を用いて無照度継続時間ＮＩＬの計測動作を行う。
そして、モード制御部１０３は、無照度継続時間ＮＩＬを所定の移行時間（ここでは、３０分）と比較し、ソーラパネル２に３０分以上継続して照度が得られていないと判定した場合に、電子時計１を省電力モードに移行させる。従って、電子時計１は、ソーラパネル２に照度が得られなくなった後、省電力モードに移行するまでの３０分間は、通常モードを維持し、１分ごとに照度検出回路１２１を活性化して照度検出を行う。このため、電子時計１は、照度検出に要する消費電力を低減することができる。
【００５９】
次に、図３（Ｂ）を参照して、省電力モードから通常モードへ移行する場合の処理の流れについて説明する。この図３（Ｂ）に示す処理は、ＣＰＵ１０１（主にはモード制御部１０３）において２秒ごとに繰り返して行われる処理である。
【００６０】
省電力モードにおいて、モード制御部１０３は、計時部１０４において時刻計時処理を行わせている（ステップＳ２０１）。そして、モード制御部１０３は、ＬＣＤ１３３における時計表示の消灯、すなわち時計表示を停止させるとともに、ＰＳ(パワーセーブ)マークを点滅させる（ステップＳ２０２）。
続いて、モード制御部１０３は、計時部１０４で計時された時刻計時データを基に、現在時刻が偶数秒であるか否かを判定する（ステップＳ２０３）。モード制御部１０３は、ステップＳ２０３の処理において現在時刻が偶数秒でないと判定された場合に（ステップＳ２０３−Ｎｏ）、ステップＳ２０１の処理に戻り、計時部１０４における時刻計時処理を継続させる。
【００６１】
また、モード制御部１０３は、ステップＳ２０３の処理において現在時刻が偶数秒であると判定された場合に（ステップＳ２０３−Ｙｅｓ）、照度検出をオンにする。すなわち、モード制御部１０３は、照度検出回路１２１内のＳＷ１をオンにして活性化し、この照度検出回路１２１から照度有無信号を出力させる（ステップＳ２０４）。
【００６２】
続いて、ステップＳ２０５の処理に移行し、モード制御部１０３は、照度検出回路１２１から入力した照度有無信号を基に、ソーラパネル２に照度が得られているか否かを判定する。
モード制御部１０３は、ステップＳ２０５の処理において「照度有り」と判定された場合に（ステップＳ２０５−Ｙｅｓ）、表示部１３１に表示されたＰＳマークを消灯させる（ステップＳ２０６）。なお、この際に、モード制御部１０３は、照度検出をオフにする。すなわち、モード制御部１０３は、照度検出回路１２１を非活性化し、照度有無信号の出力を停止させる。
このステップＳ２０６の処理の後に、モード制御部１０３は、電子時計１を通常モードに移行させる（ステップＳ２０７）。
【００６３】
一方、モード制御部１０３は、ステップＳ２０５の処理において照度無しと判定された場合に（ステップＳ２０５−Ｎｏ）、照度検出をオフにするとともに、ステップＳ２０８の処理に移行し、入力受付部１０２から出力される操作信号を基に、ボタン操作を検出する（ステップＳ２０８）。
続いて、モード制御部１０３は、操作部４においてボタン操作（より正確には省電力モードの解除に結びつくボタン操作）が有ったか否かを判定する（ステップＳ２０９）。そして、モード制御部１０３は、ボタン操作が有ったと判定された場合に（ステップＳ２０９−Ｙｅｓ）、表示部１３１に表示されたＰＳマークを消灯させる（ステップＳ２０６）ととともに、電子時計１を通常モードに移行させる（ステップＳ２０７）。
【００６４】
一方、モード制御部１０３は、ステップＳ２０９の処理においてボタン操作がなかったと判定された場合に（ステップＳ２０９−Ｎｏ）、ステップＳ２０１の処理に戻り、モード制御部１０３は、計時部１０４における計時処理を継続させる。
【００６５】
このように、電子時計１が省電力モードに移行した状態において、モード制御部１０３は、２秒ごとにソーラパネル２の照度検出を行う。そして、モード制御部１０３は、ソーラパネル２への照度が得られる状態になったか、または、操作部４においてボタン操作が行われたか、のいずれかの状態が検出された場合に、電子時計１を省電力モードから通常モードに移行させる。
これにより、モード制御部１０３は、電子時計１が省電力モードの状態である場合において、ソーラパネル２に照度が得られるか、またはボタン操作が行われた場合に、電子時計１を速やかに通常モードに復帰させることができる。
【００６６】
［第２実施形態］
第１実施形態の電子時計１では、ソーラパネル２に照度が得られなくなった後、省電力モードに移行するまでの３０分間は、通常モードを維持し、１分ごとに照度検出回路１２１を活性化して照度検出を行うようにしている。
これに対して、第２実施形態の電子時計１では、ソーラパネル２に照度が得られなくなった後、省電力モードに移行するまでの３０分間において、最初の２９分間は１分ごとに照度検出を行い、２９分から３０分までの最後の１分間は、２秒間隔で照度検出を行う。
【００６７】
このように、第２実施形態の電子時計１は、省電力モードに移行する直前の１分間に２秒間隔で照度検出を行うことにより、ソーラパネル２に照度があるか否かを高応答で繰り返して確認する。
これは、例えば、電子時計１が洋服の袖中にあって２９分が経過した後に、使用者が、省電力モードに入る直前の最後の１分の間に袖の中から電子時計を出して時刻を見て確認し、再び袖の中に入れてしまった場合に、電子時計１は、すぐに省電力モードに入ってしまう。このような場合に、使用者が再び電子時計を袖中から出して見ると今度は時計表示が消えており、使用者は「先ほど時計を見たばかりなのに、何故今度は時計表示が消えているのだろうか」と不自然さを感じることになる。第２実施形態の電子時計は、このような不自然さを使用者に感じさせることを回避するものである。
【００６８】
図４は、第２実施形態の電子時計における通常モードから省電力モードへの移行動作について説明するためのフロー図である。なお、省電力モードから通常モードへの移行動作については、第１実施形態の場合と同じである。
【００６９】
図４を参照して、通常モードから省電力モードに移行する場合の処理の流れについて説明する。なお、最初に、ソーラパネル２の遮光時間を計測するためのパワーセーブカウンタ（ＰＳＣ）１０６及び１分カウンタ（１ＭＣ）１０６Ａは、ゼロに初期化（リセット）されているものとする。
【００７０】
図４を参照して、通常モードにおいて、モード制御部１０３は、計時部１０４における時刻計時処理と、表示部１３１における時計表示処理とを行わせている（ステップＳ３０１）。続いて、モード制御部１０３は、計時部１０４で計時された時刻計時データを基に、現在時刻が正分であるか否かを判定する（ステップＳ３０２）。
モード制御部１０３は、ステップＳ３０２の処理において時刻が正分でないと判定された場合に（ステップＳ３０２−Ｎｏ）、ステップＳ３０１の処理に戻り、計時部１０４における時刻計時処理と、表示部１３１における時計表示処理とを継続させる。
【００７１】
モード制御部１０３は、ステップＳ３０２の処理において時刻が正分であると判定された場合に（ステップＳ３０２−Ｙｅｓ）、照度検出をオンにする（ステップＳ３０３）。すなわち、モード制御部１０３は、照度検出回路１２１内のＳＷ１をオンにして活性化し、この照度検出回路１２１から照度有無信号を出力させる。この照度有無信号は、モード制御部１０３に対して出力される。
続いて、ステップＳ３０４の処理に移行し、モード制御部１０３は、照度検出回路１２１から入力した照度有無信号を基に、ソーラパネル２が「照度無し」か否かを判定する（ステップＳ３０４）。
【００７２】
モード制御部１０３は、ステップＳ３０４の処理において「照度あり」と判定された場合に（ステップＳ３０４−Ｎｏ）、無照度時間検出部１０５に対してカウンタリセットを指示する計数信号ＣＮＴを出力し、無照度時間検出部１０５内のパワーセーブカウンタ（ＰＳＣ）１０６と１分カウンタ（１ＭＣ）１０６Ａの計数値を初期化（リセット）する（ステップＳ３０５）。なお、この際に、モード制御部１０３は、照度検出回路１２１を非活性化（スイッチＳＷ１をオフ）し、照度有無信号の出力を停止させる。
このステップＳ３０５の処理の後にステップＳ３０１に移行し、モード制御部１０３は、計時部１０４における時刻計時処理と表示部１３１における時計表示処理とを継続させる。
【００７３】
一方、モード制御部１０３は、ステップＳ３０４の処理において「照度無し」と判定された場合に（ステップＳ３０４−Ｙｅｓ）、無照度時間検出部１０５に対して計数信号ＣＮＴを出力し、無照度時間検出部１０５内のパワーセーブカウンタ１０６の計数値をインクリメント（＋１を加算）する（ステップＳ３０６）。無照度時間検出部１０５は、このパワーセーブカウンタ１０６の計数値を、無照度継続時間ＮＩＬを表す信号として、モード制御部１０３に対して出力する。なお、この際に、モード制御部１０３は、照度検出回路１２１を非活性化（スイッチＳＷ１をオフ）し、照度有無信号の出力を停止させる。
【００７４】
続いて、モード制御部１０３は、無照度時間検出部１０５から無照度継続時間ＮＩＬを表す信号を入力すると、この無照度継続時間ＮＩＬを所定時間（この例では、２９分）と比較し、無照度継続時間ＮＩＬが２９分経過したか否かを判定する（ステップＳ３０７）。
モード制御部１０３は、ステップＳ３０７の処理において無照度継続時間ＮＩＬが、２９分を経過していない判定された場合に（ステップＳ３０７−Ｎｏ）、ステップＳ３０１に戻り、計時部１０４における時刻計時処理と、表示部１３１における時計表示処理とを継続させる。
【００７５】
一方、モード制御部１０３は、ステップＳ３０７の処理において無照度継続時間ＮＩＬが２９分を超えると判定された場合に（ステップＳ３０７−Ｙｅｓ）、ステップＳ３０８の処理に移行し、計時部１０４で計時された時刻計時データを基に、現在時刻が偶数秒であるか否かを判定する（ステップＳ３０８）。モード制御部１０３は、ステップＳ３０８の処理において現在時刻が偶数秒でないと判定された場合に（ステップＳ３０８−Ｎｏ）、ステップＳ３０９に移行し、計時部１０４における時刻計時処理と、表示部１３１における時刻表示処理とを継続させ（ステップＳ３０９）、その後に、ステップＳ３０８の処理に戻る。
【００７６】
モード制御部１０３は、ステップＳ３０８の処理において時刻が偶数秒であると判定された場合に（ステップＳ３０８−Ｙｅｓ）、照度検出をオンにする（ステップＳ３１０）。すなわち、照度検出回路１２１内のＳＷ１をオンにして活性化し、この照度検出回路１２１から照度有無信号を出力させる。この照度有無信号は、モード制御部１０３に対して出力される。
【００７７】
続いて、ステップＳ３１１の処理に移行し、モード制御部１０３は、照度検出回路１２１から入力した照度有無信号を基に、ソーラパネル２が「照度無し」か否かを判定する（ステップＳ３１１）。
モード制御部１０３は、ステップＳ３１１の処理において「照度あり」と判定された場合に（ステップＳ３１１−Ｎｏ）、無照度時間検出部１０５に対してカウンタリセットを指示する計数信号ＣＮＴを出力し、無照度時間検出部１０５内のパワーセーブカウンタ（ＰＳＣ）１０６及び１分カウンタ（１ＭＣ）１０６Ａの計数値を初期化（リセット）する（ステップＳ３１２）。続いて、モード制御部１０３は、照度検出をオフにした後に、ステップＳ３０１の処理に戻り、計時部１０４における時刻計時処理と、表示部１３１における時刻表示処理とを継続させる。
【００７８】
一方、モード制御部１０３は、ステップＳ３１１の処理において「照度無し」と判定された場合に（ステップＳ３１１−Ｙｅｓ）、無照度時間検出部１０５に対して計数を指示する計数信号ＣＮＴを出力し、無照度時間検出部１０５内の１分カウンタ１０６Ａの計数値に＋２（２秒に相当）を加算する（ステップＳ３１３）。無照度時間検出部１０５は、この１分カウンタ１０６Ａの計数値（秒単位の計数値）とパワーセーブカウンタ１０６の計数値（分単位の計数値）とを無照度継続時間ＮＩＬを表す信号として、モード制御部１０３に対して出力する。なお、この際に、モード制御部１０３は、照度検出をオフにする。
【００７９】
モード制御部１０３は、無照度継続時間ＮＩＬを表す信号を入力すると、この無照度継続時間ＮＩＬが３０分を経過しているか否かを判定する（ステップＳ３１４）。そして、モード制御部１０３は、ステップＳ３１４の処理において３０分を経過していないと判定された場合に（ステップＳ３１４−Ｎｏ）、ステップＳ３０９の処理に戻る。
【００８０】
一方、モード制御部１０３は、ステップＳ３１４の処理において無照度継続時間ＮＩＬが３０分を経過したと判定された場合に（ステップＳ３１４−Ｙｅｓ）、電子時計１を省電力モードに移行させる（ステップＳ３１５）。
【００８１】
以上説明したように、モード制御部１０３は、ソーラパネル２に照度が得られなくなった後、２９分間は、通常モードの場合と同様に、毎分ごとに照度検出回路１２１を活性化してソーラパネル２の照度検出を行う。そして、２９分が経過した後の１分間は、モード制御部１０３は、２秒ごとに照度検出回路１２１を活性化してソーラパネル２の照度検出を行い、３０分が経過すると、電子時計１を省電力モードに移行させる。このため、照度検出に要する消費電力が低減されるとともに、省電力モードに移行する際には、ソーラパネル２に照度が得られていないことを、高速で繰り返して確認することができる。
【００８２】
［第３実施形態］
上述した第２実施形態では、省電力モードに移行する直前の１分間において、ソーラパネル２の照度検出を２秒ごとに行う例を示した。これに対して、第３実施形態では、ソーラパネル２に照度が得られなくなった後、最初の１分間において、ソーラパネル２の照度検出を２秒ごとに行い、この最初の１分の経過後は、照度検出を１分ごとに行う例について説明する。
これは、電子時計が洋服の袖中に入ったり出たりする場合に、この電子時計が省電力モードに移行しやすくなること回避するためである。このために、第３実施形態の電子時計では、ソーラパネル２に照度が得られなくなった後の最初の１分間は２秒ごとに照度検出を行う。これにより、第３実施形態の電子時計では、ソーラパネル２に照度が得られなくなった状態を確実に検出した後に、省電力モードに移行するための時間計測を開始することができる。
【００８３】
図５は、第３実施形態の電子時計１における通常モードから省電力モードへの移行動作について説明するためのフロー図である。なお、省電力モードから通常モードへの移行動作については、第１実施形態の場合と同じである。
【００８４】
図５を参照して、通常モードから省電力モードに移行する場合の処理の流れについて説明する。なお、最初に、ソーラパネル２の遮光時間を計測するためのパワーセーブカウンタ（ＰＳＣ）１０６及び１分カウンタ（１ＭＣ）１０６Ａは、ゼロに初期化（リセット）されているものとする。
【００８５】
図５を参照して、通常モードにおいて、モード制御部１０３は、計時部１０４における時刻計時処理と、表示部１３１における時計表示処理とを行わせている（ステップＳ４０１）。続いて、モード制御部１０３は、計時部１０４で計時された時刻計時データを基に、現在時刻が正分であるか否かを判定する（ステップＳ４０２）。モード制御部１０３は、ステップＳ４０２の処理において時刻が正分でないと判定された場合に（ステップＳ４０２−Ｎｏ）、ステップＳ４０１の処理に戻り、計時部１０４における時刻計時処理と表示部１３１における時計表示処理とを継続させる。
【００８６】
モード制御部１０３は、ステップＳ４０２の処理において時刻が正分であると判定された場合に（ステップＳ４０２−Ｙｅｓ）、照度検出をオンにする（ステップＳ４０３）。すなわち、モード制御部１０３は、照度検出回路１２１内のＳＷ１をオンにして活性化し、この照度検出回路１２１から照度有無信号を出力させる。この照度有無信号は、モード制御部１０３に対して出力される。
続いて、ステップＳ４０４の処理に移行し、モード制御部１０３は、照度検出回路１２１から入力した照度有無信号を基に、ソーラパネル２が「照度無し」か否かを判定する（ステップＳ４０４）。
【００８７】
モード制御部１０３は、ステップＳ４０４の処理において「照度あり」と判定された場合に（ステップＳ４０４−Ｎｏ）、無照度時間検出部１０５に対してカウンタリセットを指示する計数信号ＣＮＴを出力し、無照度時間検出部１０５内のパワーセーブカウンタ（ＰＳＣ）１０６と１分カウンタ（１ＭＣ）１０６Ａの計数値を初期化（リセット）する（ステップＳ４０５）。なお、この際に、モード制御部１０３は、照度検出をオフ、すなわち、照度検出回路１２１を非活性化（スイッチＳＷ１をオフ）し、照度有無信号の出力を停止させる。
このステップＳ４０５の処理の後にステップＳ４０１に戻り、モード制御部１０３は、計時部１０４における時刻計時処理と、表示部１３１における時計表示処理とを継続させる。
【００８８】
一方、モード制御部１０３は、ステップＳ４０４の処理において「照度無し」と判定された場合に（ステップＳ４０４−Ｙｅｓ）、無照度時間検出部１０５に対して計数を指示する計数信号ＣＮＴを出力し、無照度時間検出部１０５内のパワーセーブカウンタ１０６の計数値をインクリメント（＋１を加算）する（ステップＳ４０６）。無照度時間検出部１０５は、このパワーセーブカウンタ１０６の計数値を、無照度継続時間ＮＩＬを表す信号として、モード制御部１０３に対して出力する。なお、この際に、モード制御部１０３は、照度検出をオフ、すなわち、照度検出回路１２１を非活性化（スイッチＳＷ１をオフ）し、照度有無信号の出力を停止させる。
【００８９】
続いて、モード制御部１０３は、無照度時間検出部１０５から無照度継続時間ＮＩＬ（パワーセーブカウンタ１０６の計数値）の信号を入力すると、この無照度継続時間ＮＩＬ(最初は、１)を基に、１回目の照度検出か否かを判定する（ステップＳ４０７）。
モード制御部１０３は、ステップＳ４０７の処理において1回目でないと判定された場合に（ステップＳ４０７−Ｎｏ）、後述するステップＳ４１５の処理に移行する。
【００９０】
モード制御部１０３は、ステップＳ４０７の処理において照度検出が1回目であると判定された場合に（ステップＳ４０７−Ｙｅｓ）、計時部１０４における時刻計時処理と、表示部１３１における時刻表示処理とを継続させる（ステップＳ４０８）。
モード制御部１０３は、ステップＳ４０８の処理の後に、現在時刻が偶数秒であるか否かを判定する（ステップＳ４０９）。モード制御部１０３は、ステップＳ４０９の処理において偶数秒でないと判定された場合に（ステップＳ４０９−Ｎｏ）、ステップＳ４０８の処理に戻り、計時部１０４における時刻計時処理と、表示部１３１における時刻表示処理とを継続させる。
【００９１】
また、モード制御部１０３は、ステップＳ４０９の処理において偶数秒であると判定された場合に（ステップＳ４０９−Ｙｅｓ）、照度検出をオンにする（ステップＳ４１０）。すなわち、モード制御部１０３は、照度検出回路１２１内のＳＷ１をオンにして活性化し、この照度検出回路１２１から照度有無信号を出力させる。この照度有無信号は、モード制御部１０３に対して出力される。
【００９２】
続いて、モード制御部１０３は、ステップＳ４１１の処理に移行し、照度検出回路１２１から入力した照度有無信号を基に、ソーラパネル２が「照度無し」か否かを判定する（ステップＳ４１１）。
モード制御部１０３は、ステップＳ４１１の処理において「照度あり」と判定された場合に（ステップＳ４１１−Ｎｏ）、無照度時間検出部１０５に対してカウンタリセットを指示する計数信号ＣＮＴを出力し、無照度時間検出部１０５内のパワーセーブカウンタ（ＰＳＣ）１０６および１分カウンタ（１ＭＣ）１０６Ａの計数値を初期化（リセット）する（ステップＳ４１２）。なお、この際に、モード制御部１０３は、照度検出をオフにする。
このステップＳ４１２の処理の後にステップＳ４０１に戻り、モード制御部１０３は、計時部１０４における時刻計時処理と、表示部１３１における時計表示処理とを継続させる。
【００９３】
一方、モード制御部１０３は、ステップＳ４１１の処理において「照度無し」と判定された場合に（ステップＳ４１１−Ｙｅｓ）、無照度時間検出部１０５に対して計数を指示する計数信号ＣＮＴを出力し、無照度時間検出部１０５内の１分計（１ＭＣ）１０６Ａの計数値に２（２秒に相当）を加算する（ステップＳ４１３）。無照度時間検出部１０５は、この１分カウンタ（１ＭＣ）１０６Ａの計数値とパワーセーブカウンタ（ＰＳＣ）１０６の計数値とを無照度継続時間ＮＩＬを表す信号として、モード制御部１０３に対して出力する。なお、この際に、モード制御部１０３は、照度検出をオフ、すなわち、照度検出回路１２１を非活性化（スイッチＳＷ１をオフ）し、照度有無信号の出力を停止させる。
【００９４】
モード制御部１０３は、無照度時間検出部１０５から入力した１分カウンタ（１ＭＣ）１０６Ａの計数値を基に、１分が経過したか否かを判定する（ステップＳ４１４）。
モード制御部１０３は、ステップＳ４１４の処理において１分が経過していないと判定された場合に（ステップＳ４１４−Ｎｏ）、ステップＳ４０８の処理に戻り、計時部１０４における時刻計時処理と、表示部１３１における時刻表示処理とを継続させる。
【００９５】
また、モード制御部１０３は、ステップＳ４１４の処理において１分が経過している判定された場合に（ステップＳ４１４−Ｙｅｓ）、次に、無照度継続時間ＮＩＬ（パワーセーブカウンタ１０６の計数値と１分カウンタ（１ＭＣ）１０６Ａの計数値）を基に、３０分が経過したか否かを判定する（ステップＳ４１５）。
モード制御部１０３は、ステップＳ４１５の処理において３０分が経過していないと判定された場合に（ステップＳ４１５−Ｎｏ）、ステップＳ４０１の処理に戻り、計時部１０４における時刻計時処理と表示部１３１における時刻表示処理とを継続させる。これ以降、モード制御部１０３は、１分ごとに照度検出を行うことになる。
【００９６】
また、モード制御部１０３は、ステップＳ４１５の処理において３０分が経過していると判定された場合に（ステップＳ４１５−Ｙｅｓ）、モード制御部１０３は、電子時計１を省電力モードに移行させる（ステップＳ４１６）。
【００９７】
以上、本発明の実施形態について説明したが、ここで、本発明と上述した実施形態との対応関係について補足して説明する。上記実施形態において、本発明における電子時計は、電子時計１が対応し、本発明におけるソーラパネルは、ソーラパネル２が対応し、本発明における二次電池は、二次電池３が対応する。
また、本発明における第１周期は、１分が対応し、本発明における第２周期は、２秒が対応する。また、本発明における第１時間および第２時間は、それぞれ１分が対応する。
また、本発明における制御部は、モード制御部１０３が対応し、本発明における照度検出回路は、照度検出回路１２１が対応し、本発明における無照度時間検出部は、無照度時間検出部１０５が対応し、本発明における表示部は、表示部１３１が対応する。
【００９８】
そして、上記実施形態において、電子時計１は、光を受けて発電を行なうソーラパネル２を有し、当該ソーラパネル２の出力電圧により充電される二次電池３から供給される電力により動作するとともに、ソーラパネル２の照度検出に基づいて、表示部１３１に時計表示を行う通常モードと、表示部１３１の時計表示を停止する省電力モードとを有する電子時計１であって、通常モードにおける照度検出の周期を第１周期（１分）とし、省電力モードにおける照度検出の周期を第１周期とは異なる第２周期（２秒）として、照度検出の周期を切り替えるモード制御部１０３を備える。
このような構成の電子時計１であれば、通常モードと省電力モードを有する電子時計１において、動作モードに応じて、ソーラパネル２の照度検出の周期を切り替える。より具体的には、電子時計１は、ソーラパネル２に照度が得られない状態が検出された後、省電力モードに移行するまでの間は通常モードを維持し、ソーラパネル２の照度検出周期を第１周期（１分）とし、省電力モードに移行した後は、照度検出周期を第２周期（２秒）とする。
これにより、ソーラパネル２に照度が得られない状態が検出された後、省電力モードに移行するまでの間において、照度検出のために消費される電力を低減することができる。このため、ソーラパネル２の照度検出のために消費される電力を低減できる、電子時計１を提供することができる。
【００９９】
また、上記実施形態において、モード制御部１０３は、通常モードから省電力モードに移行する際に、省電力モード移行する直前の所定の第１時間（１分間）の間は、第２周期（２秒）で照度検出を行う。
このような構成の電子時計１は、例えば、ソーラパネル２に照度が得られなくなった後、省電力モードに移行するまでの３０分間を計測する際に、省電力モードに移行する最後の１分間は、２秒間隔で照度検出を行う。
これにより、電子時計１では、省電力モードに移行する直前に、ソーラパネル２に照度があるか否かを高応答で再確認することができる。このため、例えば、電子時計１が洋服の袖の中にあって２９分が経過し、最後の１分の間に電子時計１を洋服の袖の中から出して見た後に、再び電子時計１を袖の中に入れてしまう場合に、電子時計１がすぐに省電力モードに入ることを防ぎ、使用者に不便を感じさせることを回避できる。
【０１００】
また、上記実施形態において、モード制御部１０３は、モード制御部１０３は、ソーラパネル２に所定の閾値以上の照度が得られない状態を検出した後に、所定の第２時間（１分）の間は、第２周期（２秒）によりソーラパネル２の照度検出を行い、第２時間（１分）の経過後からは、第１周期（１分）によりソーラパネル２の照度検出を行う。
このような構成の電子時計１では、ソーラパネル２に照度が得られなくなった後、最初の第２時間（１分間）は、ソーラパネル２の照度検出を第２周期（２秒）ごとに行い、この１分の経過後は、照度検出を第１周期（１分）ごとに行う。
これにより、例えば、電子時計１が洋服の袖中に入ったり出たりする場合に、この電子時計１が省電力モードに移行しやすくなること回避できる。
【０１０１】
以上、本発明の実施の形態について説明したが、本発明の電子時計は、上述の図示例にのみ限定されるものではなく、本発明の要旨を逸脱しない範囲内において種々変更を加え得ることは勿論である。例えば、第２実施形態では省電力モードに移行する直前の所定の第１時間は第２の周期で照度を検出し、第３実施形態ではソーラパネルに照度が得られなくなった後に所定の第２時間は第２の周期で照度を検出する例を説明した。電子時計１がこれらのいずれか一方を行なう構成でなく、両方を行なう構成としてもよい。
【符号の説明】
【０１０２】
１…電子時計、２…ソーラパネル、３…二次電池、４…操作部、１０…集積回路、１０１…ＣＰＵ、１０２…入力受付部、１０３…モード制御部、１０４…計時部、１０５…無照度時間検出部、１０６…パワーセーブカウンタ（ＰＳＣ）、１０６Ａ…１分カウンタ（１ＭＣ）、１１１…電源回路、１１２…過充電保護回路、１１３…発振回路、１１４…分周回路、１１５…電池電圧検出回路、１１６…ＢＯＲ回路、１１７…記憶部、１２１…照度検出回路、１３１…表示部、１３２…表示駆動回路、１３３…ＬＣＤ
【図１】
2013156159.tif 000003
【図２】
2013156159.tif 000004
【図３】
2013156159.tif 000005
【図４】
2013156159.tif 000006
【図５】
2013156159.tif 000007